(57)【要約】  本発明は、取っ手と、前記取っ手の一側に備えられ、印象材を側面から支持するための印象採得枠と、を含むように構成された歯科用印象トレイにおいて、前記印象採得枠は左右の一対で形成され、その内側面には一定の間隔を空いて垂直方向の採得溝が多数形成され、左側に位置した採得溝は１０度、右側に位置した採得溝は５度の傾斜度を有するように構成される歯科用印象トレイを提供するためのものであって、本発明は、左右の歯の正反対に傾斜した形態に応じて印象採得枠の左右の角度が異なるように形成して、印象採得者による印象採得が正確かつ容易になるようにする非常に有用な発明である。【選択図】図３
2016521618.tif 000002
【特許請求の範囲】
【請求項１】
取っ手１１０と、
前記取っ手１１０の一側に備えられ、印象材を側面から支持するための印象採得枠１２０と、を含むように構成された歯科用印象トレイにおいて、
前記印象採得枠１２０は左右の一対で形成され、その内側面には一定の間隔を空いて垂直方向の採得溝１２１、１２２が多数形成され、前記印象採得枠１２０の中心線１２０ｃを基準にして上部及び下部方向にそれぞれ左側に位置した採得溝１２１は１０度、右側に位置した採得溝１２２は５度の傾斜度α、βを有するように構成されることを特徴とする歯科用印象トレイ。
【請求項２】
左右両側に位置した前記印象採得枠１２０の上面１２０ａ、１２０ａ’は、歯の湾曲に従って中心から両方向に下部の方向に向かって所定の角度に傾斜するように構成されることを特徴とする、請求項１に記載の歯科用印象トレイ。
【請求項３】
取っ手１１０の一側面には、把持のための一対の把持溝１１１が形成されるように構成されることを特徴とする、請求項１に記載の歯科用印象トレイ。
【発明の詳細な説明】
【技術分野】
【０００１】
本発明は、歯科用印象トレイに関し、より詳しくは、歯の傾斜している形態に応じて印象採得枠の左右の角度が異なるように形成して、印象採得者による印象採得が正確かつ容易になるようにする歯科用印象トレイに関する。
【背景技術】
【０００２】
一般的に、歯科患者の歯科補綴物を製作するためには、当該患者の歯を印象採得する必要があるが、この過程で上顎及び下顎の歯を同時に印象採得する器具を印象トレイまたはバイトトレイと称する。
【０００３】
このような従来の歯科用印象トレイの構造は、左右の区別なく印象材を盛ることができる凹状の構造物と、その構造物に固定された取っ手と、で構成されており、前記歯科用印象トレイを製作する方法は、主にブロー成形、射出成形、圧縮成形、真空成形が可能であり、先進国及び韓国内の多くの歯科において、衛生及び利便性のために、歯の印象採得の際に、主に使い捨ての印象トレイを使用しているところ、このような使い捨ての印象トレイには、使い捨て品の特性上、値段が安くて製造が容易なプラスチックの一種であるポリプロピレン、ＡＢＳの材質などが利用される。
【０００４】
さらに、従来の補強材を挿入したプラスチック印象用トレイと一般のプラスチックバイトトレイは次のような短所がある。
【０００５】
左右の区別がなく、金属補強材が挿入されたバイトトレイは、印象採得膜がタイトなので、歯のバイト印象の際に咬合面に変形が発生するので、適切な歯科補綴物の製作が容易ではないという短所がある。
【０００６】
また、左右の区別がなく、金属補強材が挿入されたプラスチックの印象用トレーや一般のプラスチックの印象用トレイは、印象採得枠の自由な変形ができず、歯なみがそろっていないかアーチが曲がっている歯科患者は、印象採得が不可であり、一般のオムニトレイによって片側のみ印象採得するなど、上顎と下顎の印象を同時に採得することを特徴とすると共に、非常に画一的なので、十分かつ適切な歯の印象採得ができないという問題がある。
【０００７】
よって、最近では、上記のような問題点を解決するために、図２に示すように、「印象採得者が手で把持できる取っ手があり、前記取っ手側と反対側にそれぞれ印象材を側面から支持するための印象採得枠があり、両側の印象採得枠が連結された連結リングの外側の所定の位置に、外側に露出された形態で挿入されて固定される補強手段である補強材が備えられ、中央部に備えられる印象採得のための印象材を盛ることのできる凹状の空間を提供する印象採得膜を含むプラスチックの歯印象採得用トレイにおいて、印象採得枠の上下左右の四面のそれぞれの壁を一定の間隔を空けて均等に分離及び形成させ、歯印象採得用バイトトレイの外形を部分的に変形して、歯列の湾曲度と調和を成すように少しずつ曲げながら印象採得ができるように作ったことを特徴とする歯印象採得用トレイ」が公開されている。
【０００８】
しかし、前記歯印象採得用トレイは、トレイの外形の部分的な変形が可能であるが、歯の形態に合わせて左右前後に正確に解剖学的な形態を付与することができないという問題があった。
【０００９】
また、前記左右の区別がない歯印象採得用トレイは、印象採得枠の壁が垂直形状となっており、人間の歯は誰でも正常に傾斜した歯の構造を有しており、上顎と下顎の歯によってステップを有する歯の構造に反する構造を有し、歯の左右を区別しない前記トレイによって印象採得するようになるため、印象採得者による印象採得が不正確に行われるという問題があった。
【００１０】
特に、人間の歯はｓｐｅｅ湾曲（前歯と奥歯との間が直線ではなく曲線状である。）と、ｗｉｌｓｏｎ湾曲（左側歯と右側歯が直線ではなく曲線状である。）として、前後左右に歯が正反対の方向に傾斜しており（図１を参照）、上顎歯と下顎歯は左右が正反対にステップを有している。
【００１１】
このように、左右が正反対の方向に配列された人間の歯の構造に、左右の区別がない一般のトレイは、印象採得後に観察して見れば、印象材の厚さが一定ではなく、印象材の厚さが一定ではないと模型の収縮変形が発生して正確度が著しく低下してしまう問題があった。
【先行技術文献】
【特許文献】
【００１２】
【特許文献１】大韓韓国公開特許公報第１０−２０１１−００３２９６３号
【発明の概要】
【発明が解決しようとする課題】
【００１３】
よって、本発明は、左右の区別がないことによって発生する印象材の変形を解決するためのものであって、歯の傾斜している形態に応じて印象採得枠の左右前後の角度が異なるように形成して、印象採得者による印象採得が正確かつ容易になるようにする、左右が区別される歯科用印象トレイを提供することにその目的がある。
【００１４】
つまり、本発明は、歯の前後左右が異なっているにもかかわらず、患者の左右側を同一のトレイによって印象採得していた従来の問題点を改善したものであって、左側と右側の採得溝の傾斜度が異なるようにした印象トレイを提供することで、印象採得が正確かつ容易になるようにする歯科用印象トレイを提供することにその目的がある。
【課題を解決するための手段】
【００１５】
上記の目的を達成するための本発明に係る歯科用印象トレイは、取っ手と、前記取っ手の一側に備えられ、印象材を側面から支持するための印象採得枠と、を含むように構成された歯科用印象トレイにおいて、前記印象採得枠は、左右の一対で形成され、その内側面には一定の間隔を空いて垂直方向の採得溝が多数形成され、左側に位置した採得溝は１０度、右側に位置した採得溝は５度の傾斜度を有するように構成されることを特徴とする。
【００１６】
また、前記取っ手の一側面には把持のための一対の把持溝が形成されるように構成されることを特徴とする。
【発明の効果】
【００１７】
このように、本発明は、歯の傾斜している形態に応じて印象採得枠の左右の角度が異なるように形成して、印象採得者による印象採得が正確かつ容易になるようにする非常に有用な発明である。
【図面の簡単な説明】
【００１８】
【図１】歯の配列を示す参考図である。
【図２】従来の歯印象採得用トレイの一実施例を示す斜視図である。
【図３】従来の歯印象採得用トレイの他の実施例を示す斜視図である。
【図４】本発明の歯科用印象トレイを示す斜視図である。
【図５】本発明の歯科用印象トレイを示す正面図である。
【図６】本発明の歯科用印象トレイの実製品の一側面を撮影した写真である。
【図７】本発明の歯科用印象トレイの実製品の他側面を撮影した写真である。
【図８】歯の傾斜度を示す参考図である。
【図９】歯の傾斜度を示す参考図である。
【発明を実施するための形態】
【００１９】
上記の目的及び効果を達成するための本発明について、好ましい実施例を通じてより詳細に説明すれば、次の通りである。
【００２０】
本発明に係る歯科用印象トレイ１００は、取っ手１１０と、前記取っ手１１０の一側に備えられ、印象材を側面から支持するための印象採得枠１２０と、を含むように構成された歯科用印象トレイにおいて、前記印象採得枠１２０は左右の一対で形成され、その内側面には一定の間隔を空いて垂直方向の採得溝１２１、１２２が多数形成され、前記印象採得枠１２０の中心線１２０ｃを基準にして上部及び下部方向にそれぞれ左側に位置した採得溝１２１は１０度、右側に位置した採得溝１２２は５度の傾斜度α、βを有するように構成される。
【００２１】
もちろん、前記印象採得枠１２０の内側の中央部に備えられ、印象材を収容するために凹状の空間を提供する印象採得膜が形成されるのは当然のことである。
【００２２】
図８及び図９に示すように、大分の上顎の全ての歯は（＋）傾斜度（ｉｎｃｌｉｎａｔｉｏｎ）を有し、下顎の全ての歯は若干の（−）傾斜度（ｉｎｃｌｉｎａｔｉｏｎ）を有することの確認ができるところ、これを反映して、図４に示すように、採得溝１２１のうち、左側に位置した採得溝１２１は１０度の傾斜度を、右側に位置した採得溝１２２は５度の傾斜度を有するように構成されることが望ましい。
【００２３】
さらに、前記採得溝１２１、１２２は、以上で言及した左右の傾斜度と共に、前後に傾斜して構成される。
【００２４】
一方、図４に示すように、取っ手１１０の一側面には、把持のための一対の把持溝１１１が形成され、印象採得者により前記取っ手１１０の把持が容易になるようにすることが望ましい。
【００２５】
つまり、印象採得者とその補助者が伝達を受ける過程で、手が重ならないようにして、トレイの伝達が容易になるようにすることで、トレイの落下事故（手から離れ落ちること）を予め防止するためのものである。
【００２６】
一方、図６及び図７に示すように、左右側に位置した印象採得枠１２０の上面１２０ａ、１２０ａ’は、歯の湾曲（図１を参照）に従って中心から両方向に下部の方向に向かって所定の角度に傾斜するように構成される。
【００２７】
この際、前記左側に位置した印象採得枠の上面１２０ａと、右側に位置した印象採得枠の上面１２０ａ’は、傾斜角をそれぞれ異にして構成されることが望ましい。
【００２８】
さらに、前記左右側に位置した印象採得枠１２０の下面１２０ｂ、１２０ｂ’も上面１２０ａ、１２０ａ’と対応するように傾斜するように構成されることが望ましい。
【００２９】
前述したように、本発明は、限られた実施例によって説明されているものの、本発明は、これに限定されず、本発明が属する技術分野で通常の知識を持った者により本発明の技術思想と以下に記載される特許請求の範囲の均等範囲内で様々な修正及び変形が可能である。
【符号の説明】
【００３０】
１００  歯科用印象トレイ
１１０  取っ手
１１１  把持溝
１２０  印象採得枠
１２１、１２２  採得溝
【図１】
2016521618.tif 000003
【図２】
2016521618.tif 000004
【図３】
2016521618.tif 000005
【図４】
2016521618.tif 000006
【図５】
2016521618.tif 000007
【図６】
2016521618.tif 000008
【図７】
2016521618.tif 000009
【図８】
2016521618.tif 000010
【図９】
2016521618.tif 000011
【国際調査報告】
2016521618.tif 000012
2016521618.tif 000013
2016521618.tif 000014
2016521618.tif 000015